(57)【要約】【課題】端子のみをハウジングの端子収容部に収容した後に端子に電線を接続する作業を行うことが容易な端子を提供すること。【解決手段】端子１０は、導体芯線Ｗ１と導体芯線Ｗ１を覆う被覆Ｗ２とを含む電線Ｗの先端に接続され、板状部材から作製されて前後方向に延びる。端子１０は、相手側端子に接続される接続部１１と、接続部１１より後方側に位置し、電線Ｗの被覆Ｗ２を固定する被覆固定部１３と、接続部１１と被覆固定部１３との間に位置し、電線Ｗから露出した導体芯線Ｗ１を固定する導体固定部１２と、を一体に備え、導体固定部１２は、前後方向から一側に傾斜して延びると共に板厚方向に貫通する貫通孔１５を備えた傾斜部１２ａ，１２ｂを備え、導体芯線Ｗ１が貫通孔１５に挿通した状態で、導体固定部１２の所定箇所を前記一側と反対の他側に押し付けて貫通孔１５の端縁を導体芯線Ｗ１に食い込ませることで、導体固定部１２が導体芯線Ｗ１を固定される。【選択図】図３
2020068125.tif 000002
【特許請求の範囲】
【請求項１】
導体芯線と前記導体芯線を覆う被覆とを含む電線の先端に接続され、板状部材から作製されて前後方向に延びる端子であって、
相手側端子に接続される接続部と、
前記接続部より後方側に位置し、前記電線の被覆を固定する被覆固定部と、
前記接続部と前記被覆固定部との間に位置し、前記電線から露出した前記導体芯線を固定する導体固定部と、を一体に備え、
前記導体固定部は、前記前後方向から一側に傾斜して延びると共に板厚方向に貫通する貫通孔を備えた傾斜部を備え、
前記導体芯線が前記貫通孔に挿通した状態で、前記導体固定部の所定箇所を前記一側と反対の他側に押し付けて前記貫通孔の端縁を前記導体芯線に食い込ませることで、前記導体固定部が前記導体芯線を固定するように構成された、端子。
【請求項２】
請求項１に記載の端子において、
前記導体固定部は、
前記接続部の後端部に接続し、前記接続部の後端部から後方側且つ前記一側に傾斜して延びると共に板厚方向に貫通する第１貫通孔を備えた第１傾斜部と、
前記被覆固定部の前端部に接続し、前記被覆固定部の前端部から前方側且つ前記一側に傾斜して延びると共に板厚方向に貫通する第２貫通孔を備えた第２傾斜部と、
前記第１傾斜部及び前記第２傾斜部の延出端部同士を連結する連結部と、を一体に備え、
前記電線の前記導体芯線が前記第１及び第２貫通孔に挿通した状態で、前記連結部を前記他側に押し付けて前記第１及び第２貫通孔のそれぞれの端縁を前記導体芯線に食い込ませることで、前記導体固定部が前記導体芯線を固定するように構成された、端子。
【請求項３】
請求項１又は請求項２に記載の端子に前記電線を接続する方法であって、
ハウジングの端子収容部に前記端子を収容する工程と、
前記端子収容部に収容された前記端子の前記貫通孔に前記電線から露出した前記導体芯線を挿通する工程と、
前記導体芯線が前記貫通孔に挿通した状態で、前記導体固定部の前記所定箇所を前記他側に押し付けて前記貫通孔の端縁を前記導体芯線に食い込ませることで、前記導体固定部に前記導体芯線を固定する工程と、
を含む、方法。
【発明の詳細な説明】
【技術分野】
【０００１】
本発明は、端子、及び、端子に電線を接続する方法に関する。
【背景技術】
【０００２】
従来から、電線に接続された端子を収容する端子収容部を有するハウジングを備えたコネクタが広く知られている（例えば、特許文献１を参照）。この種のコネクタでは、通常、端子を電線に圧着固定し、端子が固定された電線を把持しながら、ハウジングの後方端から端子を端子収容部に挿入することで、電線に接続された端子が、端子収容部の正規挿入位置に収容される。
【先行技術文献】
【特許文献】
【０００３】
【特許文献１】特開２００３−２０３７４３号公報
【発明の概要】
【発明が解決しようとする課題】
【０００４】
近年、コネクタの小型化の要求に伴い、端子が小型化され、電線も細径化してきている。電線が細い場合、端子が固定された電線を把持して、ハウジングの後方端から端子を挿入する際、端子の質量が電線に作用すること、並びに、電線の把持位置から端子の先端までの距離が長いこと等に起因して、電線に撓みが発生し易い。電線に撓みが発生すると、ハウジングの後方端の端子収容部の開口を狙って端子を当該開口に挿入することが困難となる。
【０００５】
他方、この問題は、端子のみをハウジングの端子収容部に収容した後に端子に電線を接続する組み付け手順を採用することで容易に解決され得る。以上より、端子のみをハウジングの端子収容部に収容した後に端子に電線を接続する作業を行うことが容易な端子を開発することが望まれているところである。
【０００６】
本発明は、上述した事情に鑑みてなされたものであり、その目的は、端子のみをハウジングの端子収容部に収容した後に端子に電線を接続する作業を行うことが容易な端子、及び、端子に電線を接続する方法を提供することにある。
【課題を解決するための手段】
【０００７】
前述した目的を達成するために、本発明に係る端子、及び、端子に電線を接続する方法は、下記（１）〜（３）を特徴としている。
（１）
導体芯線と前記導体芯線を覆う被覆とを含む電線の先端に接続され、板状部材から作製されて前後方向に延びる端子であって、
相手側端子に接続される接続部と、
前記接続部より後方側に位置し、前記電線の被覆を固定する被覆固定部と、
前記接続部と前記被覆固定部との間に位置し、前記電線から露出した前記導体芯線を固定する導体固定部と、を一体に備え、
前記導体固定部は、前記前後方向から一側に傾斜して延びると共に板厚方向に貫通する貫通孔を備えた傾斜部を備え、
前記導体芯線が前記貫通孔に挿通した状態で、前記導体固定部の所定箇所を前記一側と反対の他側に押し付けて前記貫通孔の端縁を前記導体芯線に食い込ませることで、前記導体固定部が前記導体芯線を固定するように構成された、端子であること。
（２）
上記（１）に記載の端子において、
前記導体固定部は、
前記接続部の後端部に接続し、前記接続部の後端部から後方側且つ前記一側に傾斜して延びると共に板厚方向に貫通する第１貫通孔を備えた第１傾斜部と、
前記被覆固定部の前端部に接続し、前記被覆固定部の前端部から前方側且つ前記一側に傾斜して延びると共に板厚方向に貫通する第２貫通孔を備えた第２傾斜部と、
前記第１傾斜部及び前記第２傾斜部の延出端部同士を連結する連結部と、を一体に備え、
前記電線の前記導体芯線が前記第１及び第２貫通孔に挿通した状態で、前記連結部を前記他側に押し付けて前記第１及び第２貫通孔のそれぞれの端縁を前記導体芯線に食い込ませることで、前記導体固定部が前記導体芯線を固定するように構成された、端子であること。
（３）
上記（１）又は上記（２）に記載の端子に前記電線を接続する方法であって、
ハウジングの端子収容部に前記端子を収容する工程と、
前記端子収容部に収容された前記端子の前記貫通孔に前記電線から露出した前記導体芯線を挿通する工程と、
前記導体芯線が前記貫通孔に挿通した状態で、前記導体固定部の前記所定箇所を前記他側に押し付けて前記貫通孔の端縁を前記導体芯線に食い込ませることで、前記導体固定部に前記導体芯線を固定する工程と、
を含む、方法であること。
【０００８】
上記（１）の構成の端子によれば、ハウジングの端子収容部に端子を収容した後に、電線を端子に接続する際に、導体芯線が貫通孔に挿通した状態で、導体固定部の所定箇所を他側に押し付けて導体固定部を塑性変形させるだけで、電線の導体芯線を端子に固定することができる。従って、端子のみをハウジングの端子収容部に収容した後においても、極めて容易に電線を端子に接続することができる。
【０００９】
上記（２）の構成の端子によれば、第１及び第２貫通孔のそれぞれの端縁を導体芯線に食い込ますことができるので、１つの貫通孔の端縁を導体芯線に食い込ます態様と比べて、電線の導体芯線をより一層強固に端子に固定することができる。
【００１０】
上記（３）の構成の端子に電線を接続する方法によれば、ハウジングの端子収容部に端子を収容した後に、電線を端子に接続する際に、導体芯線が貫通孔に挿通した状態で、導体固定部の所定箇所を他側に押し付けて導体固定部を塑性変形させるだけで、電線の導体芯線を端子に固定することができる。従って、端子のみをハウジングの端子収容部に収容した後においても、極めて容易に電線を端子に接続することができる。
【発明の効果】
【００１１】
本発明によれば、端子のみをハウジングの端子収容部に収容した後に端子に電線を接続する作業を行うことが容易な端子、及び、端子に電線を接続する方法を提供できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、本実施形態に係る端子を含むコネクタの斜視図である。
【図２】図２は、図１に示すコネクタの分解斜視図である。
【図３】図３は、図２に示す端子の斜視図である。
【図４】図４は、端子の側面図である。
【図５】図５は、端子の導体固定部の主要断面図である。
【図６】図６は、図２に示すハウジングの斜視図である。
【図７】図７は、ハウジングの正面図である。
【図８】図８は、図７のＡ−Ａ線の断面図である。
【図９】図９は、ハウジングを後方側からみた斜視図である。
【図１０】図１０は、図９の枠内を拡大した図である。
【図１１】図１１は、端子が１次係止位置にあるハウジングにおける、図８に対応する断面図である。
【図１２】図１２は、図１１の枠内を拡大した図である。
【図１３】図１３は、図２に示す上カバーの斜視図である。
【図１４】図１４は、裏返した上カバーの斜視図である。
【図１５】図１５は、図１４の枠内を拡大した図である。
【図１６】図１６は、図２に示す下カバーの斜視図である。
【図１７】図１７は、裏返した下カバーの斜視図である。
【図１８】図１８は、図１６の枠内を拡大した図である。
【図１９】図１９は、図１に示すコネクタの正面図である。
【図２０】図２０は、図１９のＢ−Ｂ線の断面図である。
【図２１】図２１は、図２０の枠内を拡大した図である。
【図２２】図２２は、下カバー側における、図２１に対応する図である。
【図２３】図２３は、図２に示すコネクタカバーの斜視図である。
【図２４】図２４は、コネクタの組み付け手順を説明するための第１の図である。
【図２５】図２５は、コネクタの組み付け手順を説明するための第２の図である。
【図２６】図２６は、コネクタの組み付け手順を説明するための第３の図である。
【図２７】図２７は、コネクタの組み付け手順を説明するための第４の図である。
【図２８】図２８は、コネクタの組み付け手順を説明するための第５の図である。
【図２９】図２９は、コネクタの組み付け手順を説明するための第６の図である。
【図３０】図３０は、コネクタの組み付け手順を説明するための第７の図である。
【図３１】図３１は、端子の導体固定部の第１及び第２貫通孔に電線の導体芯線が挿通した状態における、図５に対応する断面図である。
【図３２】図３２は、治具により、導体固定部の連結部を下方に押し付ける様子を示す図である。
【図３３】図３３は、一対の貫通孔のそれぞれの端縁が導体芯線に食い込んだ様子を示す図である。
【図３４】図３４は、コネクタの組み付け手順を説明するための第８の図である。
【図３５】図３５は、コネクタの組み付け手順を説明するための第９の図である。
【図３６】図３６は、コネクタの組み付け手順を説明するための第１０の図である。
【発明を実施するための形態】
【００１４】
＜実施形態＞
以下、図面を参照しながら、本発明の実施形態に係る端子１０を含むコネクタ１について説明する。以下、説明の便宜上、コネクタ１の軸方向（嵌合方向）において、相手側端子（図示省略）が嵌合する側（図１において左側）を前方側とし、その反対側（図１において右側）を後方側と呼ぶ。また、図１において上側及び下側をそれぞれ、上側及び下側と呼ぶ。
【００１５】
図２に示すように、コネクタ１は、端子１０と、ハウジング２０と、カバー３０と、コネクタカバー４０と、を含んで構成される。以下、コネクタ１を構成する各部品について順に説明していく。
【００１６】
先ず、図３〜図５を参照しながら、端子１０について説明する。端子１０は、板状金属部材にプレス加工・曲げ加工等を施すことで形成された雌端子であり、相手側端子（雄端子、図示省略）が嵌合する接続部１１と、接続部１１の後方側に連続し電線Ｗ（図２９参照）の導体芯線Ｗ１を固定する導体固定部１２と、導体固定部１２の後方側に連続し電線Ｗの被覆Ｗ２を固定する被覆固定部１３と、を備える。
【００１７】
接続部１１は、角筒状の形状を有しており、その上面の幅方向一側の前後方向両端部には、上方に突出する一対の突出部１４が形成されている。一対の突出部１４のうち特に前方側の突出部１４は、後述するように、ハウジング２０のランス２６（図８参照）と係合して、端子１０の抜け止め機能を果たす。
【００１８】
導体固定部１２は、第１傾斜部１２ａと、第２傾斜部１２ｂと、連結部１２ｃとで構成されている。第１傾斜部１２ａは、接続部１１の後端部に連続し、接続部１１の後端部から後方側且つ上側に傾斜して延びると共に板厚方向に貫通する貫通孔１５を備えている。第２傾斜部１２ｂは、被覆固定部１３の前端部に連続し、被覆固定部１３の前端部から前方側且つ上側に傾斜して延びると共に板厚方向に貫通する貫通孔１５を備えている。連結部１２ｃは、第１傾斜部１２ａ及び第２傾斜部１２ｂの延出端部同士を連結すると共に前後方向に延びている。導体固定部１２による電線Ｗの導体芯線Ｗ１の固定方法については、後に詳述する。
【００１９】
被覆固定部１３には、一対の加締め片１６が形成されている。これらの加締め片１６により電線Ｗの被覆Ｗ２を圧着することで、電線Ｗが被覆固定部１３に固定される。
【００２０】
次に、図６〜図１２を参照しながら、ハウジング２０について説明する。特に、図６及び図９に示すように、ハウジング２０は、矩形平板状のハウジング本体２１を備える。ハウジング本体２１の上下面それぞれには、複数の端子１０を収容するための複数の端子収容部が形成されている。ハウジング本体２１の上面側及び下面側の構成は、若干の相違はあるものの、大略的には同様であるので、以下、ハウジング本体２１の上面側の構成についてのみ説明する。
【００２１】
ハウジング本体２１の上面には、幅方向に間隔を空けて前後方向に延びる複数の立壁２２が一体に形成されている。各立壁２２は、幅方向に隣接する２つの端子収容部を仕切る機能を果たす。即ち、ハウジング本体２１の上面には、複数の立壁２２により仕切られた複数の端子収容部が幅方向に並ぶように形成されている。
【００２２】
ハウジング本体２１の前方側部分には、端子収容部の上方を塞ぐように天壁部２３が一体に形成されている。即ち、端子収容部の前方側部分は、天壁部２３により上方が塞がれた筒状の形状を有し、端子収容部の後方側部分は、その上方が開放されている。各端子収容部の前方側端には開口２４が形成されている（図６〜図８参照）。この開口２４を介して、相手側端子（雄端子）がハウジング本体２１の端子収容部に挿入されることになる。
【００２３】
図８に示すように、天壁部２３の後端縁には、後方且つ下方を向くように傾斜するテーパ面２５が形成されている。テーパ面２５は、後述するように、ハウジング２０に上カバー３０Ａを組み付ける際に利用されることになる（図２１参照）。天壁部２３の前後方向中央部の下面には、各端子収容部内に向けて下方に突出するランス２６が一体に形成されている。
【００２４】
上述のように、ハウジング本体２１では、各端子収容部の後方側部分の上方が開放されている。このため、端子１０を把持しながら、図９及び図１０に示すように、端子１０を端子収容部の後方側部分に載置して前方を押し込むことで、端子１０を、端子収容部の前方側部分（筒状の部分）における正規挿入位置近傍の１次係止位置（中途挿入位置）まで容易に挿入することができる（図１１及び図１２参照）。
【００２５】
端子１０が、図１１及び図１２に示す１次係止位置まで挿入される過程において、ランス２６は、端子１０の前方側の突出部１４に当接することで弾性変形を伴いながら当該突出部１４に乗り上げ、その後、当該突出部１４が通り過ぎることで、初期位置に弾性復帰する。この結果、図１２に示すように、当該突出部１４がランス２６と係合することで、端子１０のハウジング２０からの抜け止め機能が発揮される。
【００２６】
次に、図１３〜図２２を参照しながら、カバー３０について説明する。カバー３０として、本例では、上カバー３０Ａと、下カバー３０Ｂが使用される（図２参照）。上カバー３０Ａは、ハウジング本体２１の上面側に組み付けられて、上面側の端子収容部の後方側部分の上方を塞ぐ機能を有し、下カバー３０Ｂは、ハウジング本体２１の下面側に組み付けられて、下面側の端子収容部の後方側部分の下方を塞ぐ機能を有する。
【００２７】
先ず、図１３〜図１５を参照しながら、上カバー３０Ａについて説明する。図１３は、ハウジング本体２１への組み付け時の向きの上カバー３０Ａを示し、図１４は、裏返した上カバー３０Ａを示す。
【００２８】
上カバー３０Ａは、略平板状のカバー本体３１を備える。カバー本体３１の前方側部分の下面には、ハウジング本体２１の立壁２２に対応して、幅方向に間隔を空けて前後方向に延びる複数の立壁３２が一体に形成されている。これにより、上カバー３０Ａのハウジング２０への組み付け状態では、ハウジング本体２１の端子収容部の後方側部分の上方が上カバー３０Ａにより塞がれて、端子収容部の前方側部分及び後方側部分において、前後方向に連続する筒状の形状を有する端子収容部が構成される。
【００２９】
上カバー３０Ａのカバー本体３１の前端縁には、前方且つ上方を向くように傾斜するテーパ面３３が形成されている。テーパ面３３は、後述するように、ハウジング２０に上カバー３０Ａを組み付ける際に利用されることになる（図２１参照）。
【００３０】
上カバー３０Ａのカバー本体３１の前端部の下面には、図１５に示すように、下方に突出する複数の突起部３４が、幅方向における複数の端子収容部の位置（隣接する立壁３２の間の位置）に一体で形成されている。突起部３４は、後述するように、上カバー３０Ａのハウジング２０への組み付け時、１次係止位置にある端子１０を前方へ押圧して端子１０を正規挿入位置まで移動させる機能を有する。
【００３１】
上カバー３０Ａのカバー本体３１の幅方向両端部には、ハウジング２０への組み付け時において、下カバー３０Ｂの係合部３６（図１６及び図１７参照）とそれぞれ係合する係合部３５が一体で形成されている。
【００３２】
上カバー３０Ａのカバー本体３１の前後方向中央部分には、複数の端子収容部に跨って幅方向に連続する第１貫通孔３７が形成されている。更に、上カバー３０Ａのカバー本体３１の前方側部分（突起部３４より後方側の部分）には、幅方向における複数の端子収容部の位置（隣接する立壁３２の間の位置）のそれぞれに、前後方向に延びる第２貫通孔３８が形成されている。後述するように、第１貫通孔３７は、端子１０の一対の加締め片１６を押圧する治具６０（図３４参照）を挿入するために使用され、第２貫通孔３８は、端子１０の導体固定部１２を押圧する治具５０（図３０，３２参照）を挿入するために使用される。
【００３３】
次に、図１６〜図１８を参照しながら、下カバー３０Ｂについて説明する。図１６は、ハウジング本体２１への組み付け時の向きの下カバー３０Ｂを示し、図１７は、裏返した下カバー３０Ｂを示す。上カバー３０Ａ及び下カバー３０Ｂの構成は、上下方向に対称であることを除き、若干の相違はあるものの、大略的には同様である。従って、下カバー３０Ｂについては、上カバー３０Ａの各構成に対応する構成に対して上カバー３０Ａと同じ符号を付すことで、それらの説明に代える。
【００３４】
図１９〜図２２に示すように、上カバー３０Ａ及び下カバー３０Ｂがハウジング２０に組み付けられた状態では、上カバー３０Ａの前端縁のテーパ面３３がハウジング２０の上面側の天壁部２３の後端縁のテーパ面２５の下側に進入した状態で、上カバー３０Ａの前端縁とハウジング２０の上面側の天壁部２３の後端縁とが係止されている（図２１参照）。下カバー３０Ｂの前端縁のテーパ面３３がハウジング２０の下面側の天壁部２３の後端縁のテーパ面２５の上側に進入した状態で、下カバー３０Ｂの前端縁とハウジング２０の下面側の天壁部２３の後端縁とが係止されている（図２２参照）。更に、上カバー３０Ａの複数の係合部３５と下カバー３０Ｂの複数の係合部３６とが互いに係止されている。これらの協働により、上カバー３０Ａ及び下カバー３０Ｂそれぞれがハウジング２０に対して相対移動不能に組み付けられ、且つ、上カバー３０Ａ及び下カバー３０Ｂ同士も相対移動不能に組み付けられる。
【００３５】
次に、図２３を参照しながら、コネクタカバー４０について説明する。コネクタカバー４０は、上下方向に互いに対向するように配置された一対の板状の電線収容部４１と、下側の電線収容部４１の後方側に一体に延出形成された電線保持部４２と、を備える。コネクタカバー４０は、一対の電線収容部４１それぞれの前方側端部に設けられた係合部４３を、ハウジング２０に組み付けられた状態にある上カバー３０Ａ及び下カバー３０Ｂそれぞれの後方側端部に設けられた係合部（図示省略）に取り付けることで、ハウジング２０の後端面から後方側へ突出するように、ハウジング２０に固定される（図３６参照）。
【００３６】
一対の電線収容部４１は、複数の端子収容部に収容された複数の端子１０から後方側に延びる複数の電線Ｗを収容して保護する機能を有する。電線保持部４２は、ハウジング２０から後方側に延びる複数の電線Ｗを束ねて保持するために使用される部位である。ハウジング２０から後方側に延びる複数の電線Ｗは、タイバンド等を利用して束ねた状態で電線保持部４２に保持されることになる。
【００３７】
次に、図２４〜図３６を参照しながら、コネクタ１の組み付け手順について説明する。先ず、図２４に示すように、裏返した状態にあるハウジング２０の上面側（正規の向きでは下面側）の所定の端子収容部における上方が開放された後方側部分に、所定の装置を利用して、端子１０をそれぞれ配置し、上述した図１１及び図１２に示した１次係止位置まで端子１０の所定箇所（典型的には、角筒状の接続部１１の後端面）を前方に押し込む。これにより、端子１０の突出部１４がハウジング２０のランス２６と係合することで、端子収容部に挿入された端子１０のハウジング２０からの抜けが防止される状態が得られる。
【００３８】
次に、図２５に示すように、ハウジング２０を裏返す。これにより、ハウジング２０の向きが正規の向きとなる。この状態で、上述した図２４に示した手順と同様、図２６に示すように、ハウジング２０の上面側の所定の端子収容部に、端子１０を１次係止位置までそれぞれ挿入する。
【００３９】
次に、図２７に示すように、下カバー３０Ｂをハウジング２０に組み付け、次いで、図２８に示すように、上カバー３０Ａをハウジング２０に組み付ける。上カバー３０Ａ及び下カバー３０Ｂのハウジング２０への組み付け手順は、上下方向に対称であることを除き、大略的には同様である。従って、以下、上カバー３０Ａのハウジング２０への組み付け手順のみについて説明する。
【００４０】
端子収容部に挿入された端子１０が１次係止位置にある状態にて、先ず、上カバー３０Ａの後方側が前方側より上方に傾斜した状態を維持しながら、上カバー３０Ａ（カバー本体３１）の前端縁を、ハウジング２０の天壁部２３の後端縁に向けて近づけ、上カバー３０Ａの突起部３４を端子１０の接続部１１の後端に当接させる。
【００４１】
次に、この状態（即ち、上カバー３０Ａが傾斜した状態、且つ、突起部３４が端子１０の接続部１１に当接した状態）を維持しながら、上カバー３０Ａの前端縁のテーパ面３３が天壁部２３の後端縁のテーパ面２５の下側に進入するまで（上カバー３０Ａの前端縁と天壁部２３の後端縁とが係合するまで）、上カバー３０Ａをハウジング２０に対して前方側に平行移動させる。このとき、突起部３４の押圧によって端子１０は、上カバー３０Ａの前方側への移動に伴って、１次係止位置から正規挿入位置まで移動する。
【００４２】
そして、上カバー３０Ａの前端縁と天壁部２３の後端縁とが係合した状態を維持しながら、傾斜した状態にある上カバー３０Ａを、上カバー３０Ａの先端側を支点にして、上カバー３０Ａの後方側がハウジング２０に近づく向きに回動させる。これにより、上カバー３０Ａの複数の係合部３５と下カバー３０Ｂの複数の係合部３６とが互いに係止されることで、上述した図２０に示すように、ハウジング２０に対して上カバー３０Ａ及び下カバー３０Ｂが組み付けられた状態が得られる。
【００４３】
なお、上カバー３０Ａがハウジング２０に対して組み付けられた状態では、上カバー３０Ａの突起部３４が端子１０の接続部１１の後端面に対面接触、或いは、近接している。このため、端子１０のハウジング２０からの抜け止め機能が発揮される。即ち、端子１０の突出部１４とランス２６と係合に加えて、端子１０の接続部１１と突起部３４との係合により、所謂２重係止の状態が得られる。
【００４４】
なお、上カバー３０Ａは、上述のように、傾斜した状態にある上カバー３０Ａを、上カバー３０Ａの先端側を支点にして回動させることによってのみ、正規の状態でハウジング２０に組み付くように設計されている。仮に、上カバー３０Ａを、ハウジング２０に対して平行に維持した状態で、上方から下方に向けて平行移動させてハウジング２０に組み付けようとしても、上カバー３０Ａの前端縁と天壁部２３の後端縁とが干渉することで、組み付けることができない。
【００４５】
上述のように、ハウジング２０に対して上カバー３０Ａ及び下カバー３０Ｂが組み付けられると、次に、ハウジング２０に収容されている複数の端子１０それぞれに電線Ｗを接続する。このため、先ず、図２９に示すように、端子１０が収容されている複数の端子収容部のうちの１つについて、その端子収容部の後側端開口から、電線Ｗを挿入する。なお、電線Ｗには、電線Ｗの先端部の被覆Ｗ２を除去する端末処理が予めなされている。従って、電線Ｗの導体芯線Ｗ１の先端部は露出している。
【００４６】
このように、電線Ｗを挿入することで、電線Ｗの先端部の露出した導体芯線Ｗ１は、図３１に示すように、対応する端子１０の導体固定部１２の一対の貫通孔１５それぞれに挿通される。
【００４７】
次に、この状態（電線Ｗの導体芯線Ｗ１が導体固定部１２の一対の貫通孔１５に挿通した状態）にて、図３０に示すように、対応する第２貫通孔３８に、上方から下方に向けて治具５０を挿入する。これにより、図３２に示すように、治具５０の下端面が、対応する端子１０の導体固定部１２の連結部１２ｃに当接する状態が得られる。
【００４８】
次に、この状態にて、治具５０を下方に向けて押し付ける。これにより、連結部１２ｃが下方に押圧されることで、導体固定部１２が押し潰されるように塑性変形し、図３３に示すように、一対の貫通孔１５のそれぞれの端縁が導体芯線Ｗ１に食い込む。この結果、導体芯線Ｗ１が、端子１０の導体固定部１２に固定されると共に電気的に接続される。
【００４９】
次に、図３４に示すように、第１貫通孔３７の対応する位置に、上方から下方に向けて治具６０を挿入する。これにより、治具６０の下端面が、対応する端子１０の被覆固定部１３の一対の加締め片１６に当接する状態が得られる。次に、この状態にて、治具６０を下方に向けて押し付ける。これにより、一対の加締め片１６が下方に押圧されることで、電線Ｗの被覆Ｗ２が、一対の加締め片１６より圧着され、被覆固定部１３に固定される。
【００５０】
これにより、この電線Ｗの対応する端子１０への接続が完了する。以降、図３５に示すように、図２９〜図３４に示した電線Ｗの接続作業が、端子１０が収容されている残りの全ての端子収容部について順に繰り返し実行される。
【００５１】
端子１０が収容されている端子収容部の全てについて電線Ｗの接続作業が完了すると、次に、図３６に示すように、コネクタカバー４０をハウジング２０に取り付ける。具体的には、一対の電線収容部４１それぞれの係合部４３を、ハウジング２０に組み付けられた上カバー３０Ａ及び下カバー３０Ｂそれぞれの後方側端部の係合部に取り付けることで、コネクタカバー４０が、ハウジング２０の後端面から後方側へ突出するように、ハウジング２０に固定される。
【００５２】
そして、最後に、コネクタカバー４０から後方側に延びる複数の電線Ｗを、タイバンド等を利用して束ねた状態で電線保持部４２に保持する。これにより、コネクタ１の組み付けが完了する。
【００５３】
以上、本発明の実施形態に係る端子１０によれば、ハウジング２０の端子収容部に端子１０を収容した後に、電線Ｗを端子１０に接続する際に、導体芯線Ｗ１が一対の貫通孔１５に挿通した状態で、導体固定部１２の連結部１２ｃを下方に押し付けて導体固定部１２を塑性変形させるだけで、電線Ｗの導体芯線Ｗ１を端子１０に固定することができる。従って、端子１０のみをハウジング２０の端子収容部に収容した後においても、極めて容易に電線Ｗを端子１０に接続することができる。
【００５４】
更に、一対の貫通孔１５のそれぞれの端縁を導体芯線Ｗ１に食い込ますことができるので、１つの貫通孔の端縁を導体芯線Ｗ１に食い込ます態様と比べて、電線Ｗの導体芯線Ｗ１をより一層強固に端子１０に固定することができる。
【００５５】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５６】
上記実施形態では、端子１０として、雌端子が採用されているが、端子１０として、雄端子が採用されてもよい。この場合、端子１０の接続部１１が、角筒状の形状ではなく、タブ状の形状を有することになる。
【００５７】
ここで、上述した本発明に係る端子１０、及び、端子１０に電線を接続する方法の実施形態の特徴をそれぞれ以下［１］〜［３］に簡潔に纏めて列記する。
［１］
導体芯線（Ｗ１）と前記導体芯線（Ｗ１）を覆う被覆（Ｗ２）とを含む電線（Ｗ）の先端に接続され、板状部材から作製されて前後方向に延びる端子（１０）であって、
相手側端子に接続される接続部（１１）と、
前記接続部（１１）より後方側に位置し、前記電線（Ｗ）の被覆（Ｗ２）を固定する被覆固定部（１３）と、
前記接続部（１１）と前記被覆固定部（１３）との間に位置し、前記電線（Ｗ）から露出した前記導体芯線（Ｗ１）を固定する導体固定部（１２）と、を一体に備え、
前記導体固定部（１２）は、前記前後方向から一側に傾斜して延びると共に板厚方向に貫通する貫通孔（１５）を備えた傾斜部（１２ａ，１２ｂ）を備え、
前記導体芯線（Ｗ１）が前記貫通孔（１５）に挿通した状態で、前記導体固定部（１２）の所定箇所を前記一側と反対の他側に押し付けて前記貫通孔（１５）の端縁を前記導体芯線（Ｗ１）に食い込ませることで、前記導体固定部（１２）が前記導体芯線（Ｗ１）を固定するように構成された、端子（１０）。
［２］
上記［１］に記載の端子（１０）において、
前記導体固定部（１２）は、
前記接続部（１１）の後端部に接続し、前記接続部（１１）の後端部から後方側且つ前記一側に傾斜して延びると共に板厚方向に貫通する第１貫通孔（１５）を備えた第１傾斜部（１２ａ）と、
前記被覆固定部（１３）の前端部に接続し、前記被覆固定部（１３）の前端部から前方側且つ前記一側に傾斜して延びると共に板厚方向に貫通する第２貫通孔（１５）を備えた第２傾斜部（１２ｂ）と、
前記第１傾斜部（１２ａ）及び前記第２傾斜部（１２ｂ）の延出端部同士を連結する連結部（１２ｃ）と、を一体に備え、
前記電線（Ｗ）の前記導体芯線（Ｗ１）が前記第１及び第２貫通孔（１５）に挿通した状態で、前記連結部（１２ｃ）を前記他側に押し付けて前記第１及び第２貫通孔（１５）のそれぞれの端縁を前記導体芯線（Ｗ１）に食い込ませることで、前記導体固定部（１２）が前記導体芯線（Ｗ１）を固定するように構成された、端子（１０）。
［３］
上記［１］又は上記［２］に記載の端子（１０）に前記電線（Ｗ）を接続する方法であって、
ハウジング（２０）の端子収容部に前記端子（１０）を収容する工程と、
前記端子収容部に収容された前記端子（１０）の前記貫通孔（１５）に前記電線（Ｗ）から露出した前記導体芯線（Ｗ１）を挿通する工程と、
前記導体芯線（Ｗ１）が前記貫通孔（１５）に挿通した状態で、前記導体固定部（１２）の前記所定箇所を前記他側に押し付けて前記貫通孔（１５）の端縁を前記導体芯線（Ｗ１）に食い込ませることで、前記導体固定部（１２）に前記導体芯線（Ｗ１）を固定する工程と、
を含む、方法。
【符号の説明】
【００５８】
１      コネクタ
１０    端子
１１    接続部
１２    導体固定部
１２ａ  第１傾斜部
１２ｂ  第２傾斜部
１２ｃ  連結部
１３    被覆固定部
１５    貫通孔
２０    ハウジング
Ｗ      電線
Ｗ１    導体芯線
Ｗ２    被覆
【図１】
2020068125.tif 000003
【図２】
2020068125.tif 000004
【図３】
2020068125.tif 000005
【図４】
2020068125.tif 000006
【図５】
2020068125.tif 000007
【図６】
2020068125.tif 000008
【図７】
2020068125.tif 000009
【図８】
2020068125.tif 000010
【図９】
2020068125.tif 000011
【図１０】
2020068125.tif 000012
【図１１】
2020068125.tif 000013
【図１２】
2020068125.tif 000014
【図１３】
2020068125.tif 000015
【図１４】
2020068125.tif 000016
【図１５】
2020068125.tif 000017
【図１６】
2020068125.tif 000018
【図１７】
2020068125.tif 000019
【図１８】
2020068125.tif 000020
【図１９】
2020068125.tif 000021
【図２０】
2020068125.tif 000022
【図２１】
2020068125.tif 000023
【図２２】
2020068125.tif 000024
【図２３】
2020068125.tif 000025
【図２４】
2020068125.tif 000026
【図２５】
2020068125.tif 000027
【図２６】
2020068125.tif 000028
【図２７】
2020068125.tif 000029
【図２８】
2020068125.tif 000030
【図２９】
2020068125.tif 000031
【図３０】
2020068125.tif 000032
【図３１】
2020068125.tif 000033
【図３２】
2020068125.tif 000034
【図３３】
2020068125.tif 000035
【図３４】
2020068125.tif 000036
【図３５】
2020068125.tif 000037
【図３６】
2020068125.tif 000038